(57)【要約】【課題】この発明は、ＯＳＤ言語、音声言語、字幕言語およびＤＶＤメニュー言語の設定操作が容易となる光ディスク再生装置を提供することを目的とする。【解決手段】ＯＳＤ言語、音声言語および字幕言語を初期設定の設定画面上で設定することができる機能を備えた光ディスク再生装置において、初期設定の設定画面において、ＯＳＤ言語が初期値以外の言語に変更せしめられたときには、音声言語および字幕言語のうち、初期値に設定されているものを、ＯＳＤ言語と同じ言語に自動的に設定変更させる手段を備えている。【選択図】　図１
2004023646.tif 000002
【特許請求の範囲】
【請求項１】
ＯＳＤ言語、音声言語および字幕言語を初期設定の設定画面上で設定することができる機能を備えた光ディスク再生装置において、初期設定の設定画面において、ＯＳＤ言語が初期値以外の言語に変更せしめられたときには、音声言語および字幕言語のうち、初期値に設定されているものを、ＯＳＤ言語と同じ言語に自動的に設定変更させる手段を備えていることを特徴とする光ディスク再生装置。
【請求項２】
ＯＳＤ言語、音声言語、字幕言語およびＤＶＤメニュー言語のうち、少なくとも音声言語、字幕言語を初期設定の設定画面上で設定することができる機能を備えた光ディスク再生装置において、初期設定の設定画面において、音声言語が初期値以外の言語に変更せしめられたときには、初期設定の設定画面上で設定することができる音声言語以外の言語のうち、初期値に設定されているものを、音声言語と同じ言語に自動的に設定変更させる手段を備えていることを特徴とする光ディスク再生装置。
【請求項３】
ＯＳＤ言語、音声言語、字幕言語およびＤＶＤメニュー言語のうち、少なくとも音声言語、字幕言語を初期設定の設定画面上で設定することができる機能を備えた光ディスク再生装置において、初期設定の設定画面において、字幕言語が初期値以外の言語に変更せしめられたときには、初期設定の設定画面上で設定することができる字幕言語以外の言語のうち、初期値に設定されているものを、字幕言語と同じ言語に自動的に設定変更させる手段を備えていることを特徴とする光ディスク再生装置。
【請求項４】
音声言語、字幕言語およびＤＶＤメニュー言語を初期設定の設定画面上で設定することができる機能を備えた光ディスク再生装置において、初期設定の設定画面において、ＤＶＤメニュー言語が初期値以外の言語に変更せしめられたときには、音声言語および字幕言語のうち、初期値に設定されているものを、ＤＶＤメニュー言語と同じ言語に自動的に設定変更させる手段を備えていることを特徴とする光ディスク再生装置。
【発明の詳細な説明】
【０００１】
【発明の属する技術分野】
この発明は、ＤＶＤプレーヤ等の光ディスク再生装置に関する。
【０００２】
【従来の技術】
圧縮された映像信号や音声信号からなるビットストリームが記録された記録媒体からビットストリームを読み取り、読み取ったビットストリームを元の映像信号や音声信号にデコードして、再生を行なう光ディスク再生装置が既に開発されていることは周知のことである。光ディスク再生装置との１つとして、ＤＶＤプレーヤがある。
【０００３】
ＤＶＤプレーヤは、一般的に、初期設定の設定画面上において、パレンタル関連の設定、光出力の設定およびスピーカの構成に関する設定の他、ＯＳＤ言語、音声言語、字幕言語およびＤＶＤメニュー言語の設定をユーザに行わせる機能を備えている。ユーザによって設定された初期設定内容は電源が遮断されても保持される。
【０００４】
初期設定の設定画面上で設定することができる音声言語、字幕言語およびＤＶＤメニュー言語の初期値は、通常は、再生しようとするＤＶＤディスクによって定められた優先順位の最も高い言語に従うことを意味する”オリジナル”となっている。
【０００５】
初期設定の設定画面上において、ＯＳＤ言語が変更せしめられると、ＤＶＤプレーヤが提供するＯＳＤ表示における言語（ＯＳＤ言語）が切り替えられる。また、初期設定の設定画面上において、音声言語が初期値である”オリジナル”以外の言語に設定せしめられると、ＤＶＤディスク内のナビゲーションコマンドによってこれらの言語が特に指定されておらず、かつ設定された音声言語と同一の音声言語がＤＶＤディスクに記録されている音声ストリーム内に存在している場合には、設定された言語で再生が行われる。初期設定の設定画面上において、字幕言語が初期値である”オリジナル”以外の言語に設定せしめられた場合も同様である。
【０００６】
また、初期設定の設定画面上において、ＤＶＤメニュー言語が初期値である”オリジナル”以外の言語に設定せしめられると、設定されたＤＶＤメニュー言語と同一のＤＶＤメニュー言語がＤＶＤディスクに用意されている場合には、設定されたＤＶＤメニュー言語によってＤＶＤメニュー画面が表示される。ＤＶＤメニュー画面は、ＤＶＤディスク内の記録データに基づいて表示されるメニュー画面であり、ユーザはＤＶＤメニュー画面上で、再生開始位置、音声言語、字幕言語等の設定を行うことができる。
【０００７】
ユーザは、ＤＶＤプレーヤを始めて使用する際に、通常は、初期設定の設定画面上において、ＯＳＤ言語、音声言語、字幕言語およびＤＶＤメニュー言語を、それぞれ自国の言語に設定することが多い。このような設定を行うには、初期設定の設定画面において、ＯＳＤ言語、音声言語、字幕言語およびＤＶＤメニュー言語毎に、それぞれを自国の言語に設定しなければならず、その操作が面倒である。
【０００８】
初期設定の設定画面において、自国の言語が選択項目として表示されている場合にはその選択操作は比較的簡単であるが、初期設定の設定画面において、自国の言語が選択項目として表示されていない場合には、マニュアルに記載されている自国の言語に対応するコード（たとえば、４桁の数字）をＯＳＤ言語、音声言語、字幕言語およびＤＶＤメニュー言語毎に入力しなければならず、その操作が非常に面倒である。
【０００９】
なお、北米仕向けのＤＶＤプレーヤでは、初期設定の設定画面において、英語、スペイン語、フランス語が選択項目として表示されることが多い。また、ヨーロッパ仕向けのＤＶＤプレーヤでは、初期設定の設定画面において、英語、スペイン語、フランス語、ドイツ語、イタリア語、デンマーク語が選択項目として表示されることが多い。
【００１０】
【発明が解決しようとする課題】
この発明は、ＯＳＤ言語、音声言語、字幕言語およびＤＶＤメニュー言語の設定操作が容易となる光ディスク再生装置を提供することを目的とする。
【００１１】
【課題を解決するための手段】
請求項１に記載の発明は、ＯＳＤ言語、音声言語および字幕言語を初期設定の設定画面上で設定することができる機能を備えた光ディスク再生装置において、初期設定の設定画面において、ＯＳＤ言語が初期値以外の言語に変更せしめられたときには、音声言語および字幕言語のうち、初期値に設定されているものを、ＯＳＤ言語と同じ言語に自動的に設定変更させる手段を備えていることを特徴とする。
【００１２】
請求項２に記載の発明は、ＯＳＤ言語、音声言語、字幕言語およびＤＶＤメニュー言語のうち、少なくとも音声言語、字幕言語を初期設定の設定画面上で設定することができる機能を備えた光ディスク再生装置において、初期設定の設定画面において、音声言語が初期値以外の言語に変更せしめられたときには、初期設定の設定画面上で設定することができる音声言語以外の言語のうち、初期値に設定されているものを、音声言語と同じ言語に自動的に設定変更させる手段を備えていることを特徴とする。
【００１３】
請求項３に記載の発明は、ＯＳＤ言語、音声言語、字幕言語およびＤＶＤメニュー言語のうち、少なくとも音声言語、字幕言語を初期設定の設定画面上で設定することができる機能を備えた光ディスク再生装置において、初期設定の設定画面において、字幕言語が初期値以外の言語に変更せしめられたときには、初期設定の設定画面上で設定することができる字幕言語以外の言語のうち、初期値に設定されているものを、字幕言語と同じ言語に自動的に設定変更させる手段を備えていることを特徴とする。
【００１４】
請求項４に記載の発明は、音声言語、字幕言語およびＤＶＤメニュー言語を初期設定の設定画面上で設定することができる機能を備えた光ディスク再生装置において、初期設定の設定画面において、ＤＶＤメニュー言語が初期値以外の言語に変更せしめられたときには、音声言語および字幕言語のうち、初期値に設定されているものを、ＤＶＤメニュー言語と同じ言語に自動的に設定変更させる手段を備えていることを特徴とする。
【００１５】
【発明の実施の形態】
以下、この発明を、ＤＶＤプレーヤに適用した場合の実施の形態について説明する。
【００１６】
図１は、ＤＶＤプレーヤの構成を示している。
ドライブ部１はディスクから情報を読み取る。ドライブ部１によって読み取られたビットストリームは、ＡＶデコーダ２に送られる。
【００１７】
ＡＶデコーダ２は、ドライブ部１から送られてくるビットストリームを内部のＤＥＭＵＸ（デマルチプレクサ）によってＰＣＩ情報（再生制御情報）、ビデオ情報、サブピクチャ情報及び音声情報にデマルチプレクスし、それぞれをＰＣＩデコーダ、ビデオ・デコーダ、サブピクチャ・デコーダ、オーディオ・デコーダによってデコードする。デコードされた各情報は、ＣＰＵ６が読み出し可能なＡＶデコーダ内部のメモリ３に記憶される。
【００１８】
デコードされたオーディオ信号、ビデオ信号およびサブピクチャ信号は、予め定められた転送タイミングによって同期が取られ、オーディオ信号はオーディオ出力され、ビデオ信号とサブピクチャ信号とは、ビデオミキサー７に送信される。
【００１９】
ユーザからの操作信号（リモコンからのリモコン信号またはＤＶＤプレーヤ本体に設けられた操作部からのキー入力信号）は、ユーザインタフェース部４を介して、ＣＰＵ６に入力される。オンスクリーン生成部５は、ＣＰＵ６の指示に従って図形情報（オンスクリーン画像情報）を生成して、ビデオミキサー７に送る。ビデオミキサー７は、ＡＶデコーダ２から送られてきたビデオ信号およびサブピクチャ信号と、オンスクリーン生成部５から送られてきた図形情報とを１つのビデオ信号にミキシングして、ビデオ出力する。
【００２０】
このＤＶＤプレーヤは、ＯＳＤ言語、音声言語、字幕言語およびＤＶＤメニュー言語を初期設定の設定画面上で設定することができる機能を備えている。
【００２１】
図２は、初期設定の設定画面上において、ＯＳＤ言語が初期値以外に変更された場合のＣＰＵ６の処理手順を示している。
【００２２】
ＯＳＤ言語が初期値以外の言語に変更が行われた場合には（ステップ１）、音声言語が初期値に設定されているか否かを判別する（ステップ２）。音声言語が初期値に設定されていない場合にはステップ４に進み、音声言語が初期値に設定されている場合には、音声言語をＯＳＤ言語と同一の言語に設定した後に（ステップ３）、ステップ４に進む。
【００２３】
ステップ４では、字幕言語が初期値に設定されているか否かを判別する。字幕言語が初期値に設定されていない場合にはステップ６に進み、字幕言語が初期値に設定されている場合には、字幕言語をＯＳＤ言語と同一の言語に設定した後に（ステップ５）、ステップ６に進む。
【００２４】
ステップ６では、ＤＶＤメニュー言語が初期値に設定されているか否かを判別する。ＤＶＤメニュー語が初期値に設定されていない場合には終了し、ＤＶＤメニュー言語が初期値に設定されている場合には、ＤＶＤメニュー言語をＯＳＤ言語と同一の言語に設定した後に（ステップ７）、終了する。
【００２５】
例えば、ＯＳＤ言語の初期値が英語であり、音声言語、字幕言語およびＤＶＤメニュー言語の初期値が、ＤＶＤディスクによって定められた優先順位の最も高い言語に従うことを意味する”オリジナル”であるとする。そして、初期設定画面上で、ＯＳＤ言語、音声言語、字幕言語およびＤＶＤメニュー言語が初期値に設定されている状態から、ＯＳＤ言語が日本語に変更されたとすると、音声言語、字幕言語およびＤＶＤメニュー言語も自動的に日本語に変更せしめられる。
【００２６】
なお、上記は、ＯＳＤ言語が初期値以外の言語に変更せしめられた場合の処理について説明したが、音声言語、字幕言語またはＤＶＤメニュー言語が初期値以外の言語に変更せしめられた場合も同様な処理が行われる。
【００２７】
つまり、音声言語が初期値以外の言語に変更せしめられた場合には、ＯＳＤ言語、字幕言語およびＤＶＤメニュー言語のうち、現在初期値に設定されているものについては、それらの言語が音声言語の言語と同一の言語に自動的に設定せしめられる。
【００２８】
また、字幕言語が初期値以外の言語に変更せしめられた場合には、ＯＳＤ言語、音声言語およびＤＶＤメニュー言語のうち、現在初期値に設定されているものについては、それらの言語が字幕言語の言語と同一の言語に自動的に設定せしめられる。
【００２９】
また、ＤＶＤメニュー言語が初期値以外の言語に変更せしめられた場合には、ＯＳＤ言語、音声言語および字幕言語のうち、現在初期値に設定されているものについては、それらの言語がＤＶＤメニュー言語の言語と同一の言語に自動的に設定せしめられる。
【００３０】
【発明の効果】
この発明によれば、ＯＳＤ言語、音声言語、字幕言語およびＤＶＤメニュー言語の設定操作が容易となる。
【図面の簡単な説明】
【図１】ディスク再生装置の構成を示すブロック図である。
【図２】初期設定画面において、ＯＳＤ言語が初期値以外に変更された場合のＣＰＵ６の処理手順を示すフローチャートである。
【符号の説明】
１　ドライブ部
２　ＡＶデコーダ
３　メモリ
４　ユーザインタフェース部
５　オンスクリーン生成部
６　ＣＰＵ
７　ビデオミキサー
【図１】
2004023646.tif 000003
【図２】
2004023646.tif 000004